(57)【要約】【課題】壊れ易く傷つき易い表面を持つウェブの搬送において、走行支持用のロールに沿う部部分において、ウェブ表面をロール表面に接触させないようにして容易に搬送し、方向転換できるようにする。【解決手段】ウェブ１が走行支持用のロール２に沿って走行する部分において、ロール表面２ａとウェブ表面１ａとの間にウェブ表面粗さとロール表面粗さとの合成粗さより大きい厚みの液体膜３ａを介在させて、ウェブ表面１ａをロール表面２ａに接触させずに走行させる。【選択図】図１
2010030741.tif 000002
【特許請求の範囲】
【請求項１】
ウェブが走行支持用のロールに沿って走行する部分において、ロール表面とウェブ表面との間に液体膜を介在させ、ウェブ表面をロール表面に接触させずに走行させることを特徴とするウェブの搬送方法。
【請求項２】
ウェブ表面粗さとロール表面粗さとの合成粗さより大きい厚みの液体膜をロール表面とウェブ表面との間に介在させる請求項１に記載のウェブの搬送方法。
【請求項３】
液体膜を表面に付着させたロールを回転させて、前記液体膜をロール表面とウェブ表面との間に介在させる請求項１又は２に記載のウェブの搬送方法。
【請求項４】
ウェブが走行支持用のロールに沿って走行する部分において、前記ロールの表面に液体を付与する液体付与手段を設け、該液体付与手段により付与され付着したロール表面の液体膜をウェブ表面との間に介在させて、ウェブ表面をロール表面に接触させずに走行させるようにしたことを特徴とするウェブの搬送装置。
【請求項５】
前記液体付与手段として、前記走行支持用のロールの下に液体を収容する液槽を設け、前記ロールの下部側を該液槽内の液体に浸漬させ、該ロールがウェブ走行に対応して回転することにより、ロール表面に付着した液体膜をロール表面とウェブ表面との間に給送する構成とした請求項４に記載のウェブの搬送装置。
【請求項６】
前記液体付与手段として、前記走行支持用のロールの表面に液体を吹き付ける手段を設けてなる請求項４に記載のウェブの搬送装置。
【請求項７】
前記液体は、ウェブ表面に対し、性質的影響を及ぼさず、かつ固形分を残存させずに蒸発あるいは分離できる液体よりなる請求項４〜６のいずれか１項に記載のウェブの搬送装置。
【発明の詳細な説明】
【技術分野】
【０００１】
本発明は、主として壊れ易い表面、傷つき易い表面を持つウェブを、金属やゴムの表面を持つロールに接触走行させて搬送するためのウェブの搬送方法及び搬送装置に関するものである。
【背景技術】
【０００２】
プラスチックフィルム、紙、金属箔等のウェブの搬送において、壊れ易い表面、傷つき易い表面を持つウェブを搬送する場合には、表面を保護するための保護フィルムを重ねて走行させるようにしたり、ウェブ表面側を支持して方向変換する走行部分において、エアターンバーと称する空気浮上式の支持装置を用いてウェブ表面を接触させずに走行させるようにして搬送することが多い。
【０００３】
例えば、ウェブに対する印刷機や塗工機等において、印刷インキ或いは塗工液が塗布された直後のウェブを搬送する場合には、前記塗工液が塗布された表面をターンバーに接触させないように、空気浮上式の走行支持装置を用いて、ウェブを浮上させて搬送するようにしている（例えば、特許文献１参照）。
【０００４】
しかしながら、前記空気浮上式のエアターンバー等の支持装置は、塗工等のプロセスにおいてウェブ走行において大きな制約になり、実施が困難である場合があり、またエアターンバーとして複雑な機構を備えることでコスト高になる等の問題があった。
【特許文献１】特開２００３−３２６２１０
【発明の開示】
【発明が解決しようとする課題】
【０００５】
本発明は、上記に鑑みてなしたものであり、主として壊れ易く傷つき易い表面を持つウェブを、金属ロールやゴムロール等のロールに沿って走行させ搬送する場合において、ロール表面とウェブ表面との間に水等の液体を介在させることにより直接的な接触を避けて、ウェブ表面を傷つけることなく容易に搬送し、方向転換できるウェブの搬送方法及び装置を提供するものである。
【課題を解決するための手段】
【０００６】
本発明は上記の課題を解決するためになしたものであり、請求項１の発明のウェブの搬送方法は、ウェブが走行支持用のロールに沿って走行する部分において、ロール表面とウェブ表面との間に液体膜を介在させ、ウェブ表面をロール表面に接触させずに走行させることを特徴とする。これにより、壊れ易く傷つき易い表面を持つウェブであっても、前記表面を傷つけることなく搬送することができる。
【０００７】
前記ウェブの搬送方法において、ウェブ表面粗さとロール表面粗さとの合成粗さより大きい厚みの液体膜をロール表面とウェブ表面との間に介在させるものとする。これにより、ウェブ表面をロール表面に直に接触させないようにロール表面から浮上させた状態で走行させることができる。
【０００８】
また、前記ウェブの搬送方法において、液体膜を表面に付着させたロールを回転させて、前記液体膜をロール表面とウェブ表面との間に介在させることができる。
【０００９】
また、本発明のウェブの搬送装置は、壊れ易く傷つき易い表面を持つウェブが走行支持用のロールに沿って走行する部分において、前記ロールの表面に対し液体を付与する液体付与手段を設け、該液体付与手段により付与され付着したロール表面の液体膜をウェブ表面との間に介在させて、ウェブ表面をロール表面に接触させずに走行させるようにしたことを特徴とする。これにより、本発明の方法を良好に実施できる。
【００１０】
前記ウェブの搬送装置において、前記液体付与手段として、前記走行支持用のロールの下に液体を収容する液槽を設け、前記ロールの下部側を該液槽内の液体に浸漬させ、該ロールがウェブ走行に対応して回転することにより、ロール表面に付着した液体膜をロール表面とウェブ表面との間に給送する構成とすることができる。また、前記液体付与手段として、前記走行支持用のロールの表面に液体を吹き付ける手段を設けてなるものとすることもできる。
【００１１】
前記液体は、ウェブ表面に対し性質的影響を及ぼさず、かつ固形分を残存させずに蒸発あるいは分離できる液体よりなるものとする。これにより、ウェブ表面に変質や変形等の性質的影響を及ぼさずに、該ウェブをロール表面から浮上させた状態でウェブ表面を傷つける虞なく走行させて搬送することができる。
【発明の効果】
【００１２】
上記の本発明のウェブの搬送方法及び搬送装置によれば、金属やゴム等の表面を持つ走行支持用のロールがウェブ表面に直に接触するのを避け、ロール表面に対し液体膜を介在させてロール表面から浮上した状態で走行させて容易に搬送することができ、方向転換も容易になる。またそのため、ウェブ搬送における走行支持用のロールのレイアウトの制約を回避でき、その機構や構造が比較的簡単であることもあって、従来のエアターンバー等の空気浮上式の走行支持装置を使用する場合に比して、大幅なコストダウンになる。
【発明を実施するための最良の形態】
【００１３】
次ぎに本発明の実施の形態を図面に示す実施例に基づいて説明する。
【００１４】
図１は本発明の１実施例を示す要部の概略図、図２は本発明の別の実施例を示す概略図、図３は本発明の断面説明図である。
【００１５】
図において、符号１は搬送対象の壊れ易い表面、傷つき易い表面を持つプラスチックフィルム、紙等のウェブであり、例えば、印刷機や塗工機等において印刷インキあるいは塗工液が表面１ａに塗布された直後のウェブで、該表面１ａが前記印刷インキや塗工液の塗布面のために傷つき易いものよりなる。
【００１６】
符号２は、前記ウェブ１の搬送及び方向転換のために前記表面１ａの側に接触するように配置される走行支持用のロールであり、図１の実施例の場合、前記ウェブ１が該ロール２の外周面の上部側に沿って走行することにより方向転換しながら搬送するように設けられている。この走行支持用のロール２は、ステンレスやクロムメッキ等の金属の表面を持つ金属製ロール、あるいはゴムや合成樹脂等の非金属の表面を持つ非金属製ロールよりなる。この走行支持用のロール２は、例えば前記ウェブ１の走行方向と同方向に主として同速で回転駆動させるように設けるほか、該ロール２を回転自由に支承しておいて、ウェブ１の走行に同伴して回転するように設けてもよい。
【００１７】
本発明の場合は、適宜の液体付与手段により前記走行支持用のロール２の表面２ａ等に水等の液体３を付与することにより、該ロール表面２ａとウェブ表面１ａとの間に液体膜３ａを介在させて、ウェブ表面１ａをロール表面２ａに接触させずに走行させることができるように設けられている。前記のように介在させる液体膜３ａは、液体の粘性等によっても異なるが、ウェブ表面粗さとロール表面粗さとの合成粗さの数倍以上、より好ましくは前記合成粗さの３倍以上の厚みを有するものとし、ウェブ表面１ａをロール表面２ａに接触させないようにする。
【００１８】
前記の液体付与手段として、図１の実施例の場合は、前記走行支持用のロール１の軸心より下方部に液体３を収容しておく液槽４を設けるとともに、該液槽４内の液体３に前記ロール２の下部側を浸漬させて、この浸漬状態での前記ロール２の回転により、ロール表面２ａに膜状に付着した液体膜３ａを上部側に送り前記ロール表面２ａとウェブ表面１ａとの間に給送することができる構成としており、これにより、前記ロール表面２ａとウェブ表面１ａとの間に液体膜３ａを介在させるようにしている。
【００１９】
前記液体付与手段としては、前記のほか、ロール表面２ａとウェブ表面１ａとの間に液体を付与できる種々の構造による実施が可能であり、例えば、図２のように、前記ロール２の表面に対しウェブ全幅にわたって液体を吹き付けるスプレーやノズル等の手段５を設けておくこともできる。前記液体付与手段としては、前記ロール表面２ａとウェブ表面１ａとの間に直接液体を吹き付けて付与するようにしてもよく、また、ウェブ１の種類等によっては、ウェブ表面１ａに前記液体を付与するように設けてもよい。
【００２０】
さらに、前記液体付与手段として、前記走行支持用のロールを、周壁に多数の微小孔を有する中空のロール体よりなるものとして、該ロール体の内部に液体を供給可能に設け、該ロール体に供給される液体を前記微小孔を通じてロール表面に滲出させて付与する構成とすることも可能である（図示せず）。
【００２１】
なお、前記いずれの場合も、前記ロール表面２ａとウェブ表面１ａとの間に介在させる液体３としては、水道水等の水のほか、搬送対象のウェブ１の種類に応じて、アルコールや油、溶剤等の種々の液体を使用できるが、中でも、搬送対象のウェブ１の表面１ａに対して変質や変形等の性質的影響を及ぼさず、かつ固形分を残存させずに蒸発して消滅あるいは容易に分離できる水等の液体が好適に用いられる。
【００２２】
上記のような搬送装置の構成としたことにより、搬送対象のウェブ１が方向転換等のために走行支持用のロール２に沿う部分においては、前記ロール２の表面２ａとウェブ１の表面１ａとの間に前記液体膜３ａが介在することで、前記ウェブ１がロール表面２ａに対して浮上した状態でロール表面２ａに直に接触することなく走行することになる。この液体膜３ａによる前記ウェブ１の浮上量ｈは液体膜を有さない場合に比して大きくなる。そのため、例えば印刷インキや塗工液の塗布直後の塗布面等の傷つき易い表面１ａを持つウェブ１であっても、前記液体膜３ａがクッションとなって前記ウェブ表面１ａに傷が付くのを防止できる。
【００２３】
特に、粗さを持った二つの表面が正対するとき、両者の合成粗さの３倍以上の距離があれば、仮に空気層であっても二つの表面は接触しないとされているが、本発明の場合は、前記のように空気層に比して粘度の高い液体膜３ａにより前記の合成粗さに対して十分な厚みを持つことができ、前記ウェブ表面１ａがロール表面２ａに接触するのを確実に防止することができる。しかも、前記液体膜３ａは空気層と違って耐圧性があるため、走行するウェブ１が振動したり張力が変動しても、ウェブ表面１ａがロール表面２ａに接触することがない。
【００２４】
それゆえ、壊れ易く傷つき易い表面を持つウェブであっても、ロール表面に接触させずに走行させて搬送でき、方向転換も容易になる。しかも、ウェブ搬送における走行支持用のロールのレイアウトの制約を回避でき、その機構や構造が比較的簡単であることもあって、従来のエアターンバー等の空気浮上式の走行支持装置を使用する場合に比して、大幅なコストダウンとになる。
【産業上の利用可能性】
【００２５】
本発明のウエブの搬送装置は、壊れ易く傷つき易い表面を持つウェブの搬送、例えば、ウェブに対する印刷機や塗工機等において、印刷インキ或いは塗工液が塗布された直後のウェブを搬送する場合に好適に利用できる。
【図面の簡単な説明】
【００２６】
【図１】本発明の１実施例を示す要部の概略図である。
【図２】本発明の別の実施例を示す概略図である。
【図３】本発明の断面説明図である。
【符号の説明】
【００２７】
１…ウェブ、１ａ…ウェブ表面、２…走行支持用のロール、２ａ…ロール表面、３…液体、３ａ…液体膜、４…液槽、５…液体を吹き付ける手段。
【図１】
2010030741.tif 000003
【図２】
2010030741.tif 000004
【図３】
2010030741.tif 000005